(57)【要約】【課題】送受信の際の通信リンクの本数を削減することができる受信装置および送受信システムを提供する。【解決手段】送信装置１０Ｂは、シリアライザ１１により生成された信号（クロックが埋め込まれたデータ）を常に通信リンクへ送出する。受信装置２０Ｂは、復元部２２、デシリアライザ２３、選択部２５およびトレーニング信号生成部３２を含む。トレーニング信号生成部３２は、復元部２２の復元動作を周波数同期させるためのトレーニング信号を生成して出力する。選択部２５は、送信装置１０Ｂから通信リンクを経て到達した信号を受信するとともに、トレーニング信号生成部３２から出力されるトレーニング信号を入力する。選択部２５は、復元部２２から出力されたロック信号のレベルに応じて受信信号およびトレーニング信号のうちの何れか一方を選択して出力する。【選択図】図３
2020068458.tif 000002
【特許請求の範囲】
【請求項１】
送信装置からクロックが埋め込まれたデータとして送出された信号を受信する受信装置であって、
入力された信号に基づいてデータおよびクロックを復元して出力するとともに、その復元動作が周波数同期しているか否かを示すロック信号を出力する復元部と、
前記復元部の復元動作を周波数同期させるためのトレーニング信号を生成し出力するトレーニング信号生成部と、
前記送信装置からの受信信号、前記トレーニング信号および前記ロック信号を入力し、前記復元動作が周波数同期している旨を前記ロック信号が示しているときに前記受信信号を前記復元部へ入力させ、前記復元動作が周波数同期していない旨を前記ロック信号が示しているときに前記トレーニング信号を前記復元部へ入力させる選択部と、
を備える受信装置。
【請求項２】
前記復元動作が周波数同期していない旨を前記ロック信号が示しているときと比べて、前記復元動作が周波数同期している旨を前記ロック信号が示しているときに、前記トレーニング信号生成部における消費電力を低減させる、
請求項１に記載の受信装置。
【請求項３】
第１ダミー信号を生成する第１ダミー信号生成部と、
前記トレーニング信号および前記第１ダミー信号のうち前記トレーニング信号を選択して前記選択部へ出力する第１ダミー選択部と、
を更に備える請求項１または２に記載の受信装置。
【請求項４】
クロックが埋め込まれたデータとして信号を送出する送信装置と、前記送信装置から送出された信号を受信する請求項１〜３の何れか１項に記載の受信装置と、を備える送受信システム。
【請求項５】
前記送信装置は、
前記受信装置へ送出すべき送信信号を生成し出力する送信信号生成部と、
第２ダミー信号を生成し出力する第２ダミー信号生成部と、
前記送信信号および前記第２ダミー信号のうち前記送信信号を選択して前記受信装置へ送出する第２ダミー選択部と、
を含む、
請求項４に記載の送受信システム。
【請求項６】
クロックが埋め込まれたデータとして信号を送出する送信装置と、前記送信装置から送出された信号を受信する請求項３に記載の受信装置と、を備え、
前記送信装置は、
前記受信装置へ送出すべき送信信号を生成し出力する送信信号生成部と、
第２ダミー信号を生成し出力する第２ダミー信号生成部と、
前記送信信号および前記第２ダミー信号のうち前記送信信号を選択して前記受信装置へ送出する第２ダミー選択部と、
を含み、
前記受信装置の前記第１ダミー信号生成部、前記トレーニング信号生成部および前記第１ダミー選択部を含む回路ブロックは、前記送信装置の前記送信信号生成部、前記第２ダミー信号生成部および前記第２ダミー選択部を含む回路ブロックと、同じ回路構成を有する、
送受信システム。
【発明の詳細な説明】
【技術分野】
【０００１】
本発明は、受信装置および送受信システムに関するものである。
【背景技術】
【０００２】
デジタルデータ通信において、通信リンクの本数を削減するために、パラレル伝送よりシリアル伝送が好適に用いられる。シリアル伝送方式の例としてＲＳ-２３２Ｃ規格が挙げられる。この方式では、送信装置および受信装置の双方がクロック源を備えている。送信装置は、自己が備えるクロック源から出力される基準クロックに基づいてクロックを生成し、このクロックに同期して受信装置へ送出すべき信号を生成し送出する。受信装置は、自己が備えるクロック源から出力される基準クロックに基づいてクロックを生成し、このクロックに同期して受信信号のサンプリングを行う。
【０００３】
送信装置および受信装置それぞれのクロック源の発振周波数の間に差があると、送信装置における送信信号の送出タイミングと受信装置における受信信号のサンプリングのタイミングとの間にずれが生じる。時間経過とともに、そのずれが蓄積されていき、受信装置における受信信号のサンプリングの際にビットエラーが生じてしまう場合がある。送受信する信号のデータレートが高く、１ビットの間隔が短いほど、この問題が生じ易くなる。したがって、この方式を高速伝送に用いることは困難である。
【０００４】
このような問題を解消し得る技術としてクロックデータ復元（ＣＤＲ:  Clock  Data  Recovery）技術が知られている（非特許文献１参照）。ＣＤＲ技術では、クロックが埋め込まれたデータとして信号を送信装置が送出して、その信号を受信した受信装置がクロックおよびデータを復元する。受信装置は、受信信号から復元したクロックを用いて受信信号のサンプリングを行ってデータを復元する。したがって、クロック周波数の差による問題は生じない。
【０００５】
受信装置において、クロックおよびデータを正しく復元するためには、受信信号から抽出されたクロックは、受信信号のデータのエッジに対して周波数および位相に関して同期した状態でなければならない。そこで、非特許文献１に記載された技術では、復元動作を周波数同期させるためのトレーニング信号（例えばデューティ比が０.５で一定周期の信号）を送信装置から受信装置へ送るための通信リンクと、クロックが埋め込まれたデータの信号を送信装置から受信装置へ送るための通信リンクと、が別個に設けられている。
【０００６】
また、共通の通信リンクを用いて、送信装置から受信装置へ、トレーニング信号を送るとともに、クロックが埋め込まれたデータの信号を送ることもできる。この場合、先ず、復元動作を周波数同期させるためのトレーニング信号を送信装置が送出し、このトレーニング信号を用いて受信装置は復元動作を周波数同期させる。トレーニング信号を用いた受信装置の復元動作が周波数同期すると、その旨を示すロック信号が受信装置から送信装置へ送られ、そのロック信号を受けた送信装置はトレーニング信号に替えて本来の信号（クロックが埋め込まれたデータ）を送出する。本来の信号を受信した受信装置は、復元動作を位相同期させて、受信信号からクロックおよびデータを復元する。もし、位相同期した後にノイズ等の要因により周波数同期が外れると、受信装置から送信装置へ送られるロック信号は周波数同期が外れた旨を示すものとなり、そのロック信号を受けた送信装置は再びトレーニング信号を送出する。
【先行技術文献】
【非特許文献】
【０００７】
【非特許文献１】Ming-ta Hsieh, et al, "Architecturesfor multi-gigabit wire-linked clock and data recovery," IEEE Circuits andSystems Magazine, Vol.8, Issue 4, Fourth Quarter, pp.45-57 (2008).
【発明の概要】
【発明が解決しようとする課題】
【０００８】
ＣＤＲ技術を用いた従来の送受信システムでは、クロックが埋め込まれたデータの信号およびトレーニング信号を送信装置から受信装置へ送るための通信リンクに加えて、受信装置の復元動作が周波数同期しているか否かを示すロック信号を受信装置から送信装置へ送るための通信リンク（以下「ロック信号用通信リンク」という。）も必要である。
【０００９】
省スペース化および低価格化のためには、通信リンクの本数の削減が望まれる。また、光ファイバによる通信リンクの場合、ロック信号用通信リンクを不要とすることができれば、ロック信号の送受信のための電気信号と光信号との間の変換部をも不要とすることができるので、この点でも低価格化を図ることができる。また、無線による通信リンクの場合、ロック信号用通信リンクを不要とすることができれば、ロック信号の送受信のための電気信号と無線信号との間の変換部をも不要とすることができるだけでなく、無線通信に必要な帯域を低減することができるので、この点でも低価格化を図ることができる。
【００１０】
本発明は、上記問題点を解消する為になされたものであり、ＣＤＲ技術を用いた信号の送受信の際の通信リンクの本数を削減することができる受信装置および送受信システムを提供することを目的とする。
【課題を解決するための手段】
【００１１】
本発明の受信装置は、送信装置からクロックが埋め込まれたデータとして送出された信号を受信する受信装置であって、(1) 入力された信号に基づいてデータおよびクロックを復元して出力するとともに、その復元動作が周波数同期しているか否かを示すロック信号を出力する復元部と、(2) 復元部の復元動作を周波数同期させるためのトレーニング信号を生成し出力するトレーニング信号生成部と、(3) 送信装置からの受信信号、トレーニング信号およびロック信号を入力し、復元動作が周波数同期している旨をロック信号が示しているときに受信信号を復元部へ入力させ、復元動作が周波数同期していない旨をロック信号が示しているときにトレーニング信号を復元部へ入力させる選択部と、を備える。
【００１２】
本発明の受信装置は、復元動作が周波数同期していない旨をロック信号が示しているときと比べて、復元動作が周波数同期している旨をロック信号が示しているときに、トレーニング信号生成部における消費電力を低減させるのが好適である。
【００１３】
本発明の受信装置は、第１ダミー信号を生成する第１ダミー信号生成部と、トレーニング信号および第１ダミー信号のうちトレーニング信号を選択して選択部へ出力する第１ダミー選択部と、を更に備えるのが好適である。
【００１４】
本発明の送受信システムは、クロックが埋め込まれたデータとして信号を送出する送信装置と、送信装置から送出された信号を受信する上記の本発明の受信装置と、を備える。
【００１５】
本発明の送受信システムにおいて、送信装置は、受信装置へ送出すべき送信信号を生成し出力する送信信号生成部と、第２ダミー信号を生成し出力する第２ダミー信号生成部と、送信信号および第２ダミー信号のうち送信信号を選択して受信装置へ送出する第２ダミー選択部と、を含むのが好適である。
【００１６】
本発明の送受信システムにおいて、受信装置の第１ダミー信号生成部、トレーニング信号生成部および第１ダミー選択部を含む回路ブロックは、送信装置の送信信号生成部、第２ダミー信号生成部および第２ダミー選択部を含む回路ブロックと、同じ回路構成を有するのが好適である。
【発明の効果】
【００１７】
本発明によれば、ＣＤＲ技術を用いた信号の送受信の際の通信リンクの本数を削減することができる。さらに、省スペース化および低価格化が可能となる。
【図面の簡単な説明】
【００１８】
【図１】図１は、送受信システム１Ａの構成を示す図である。
【図２】図２は、復元部２２の構成を示す図である。
【図３】図３は、送受信システム１Ｂの構成を示す図である。
【図４】図４は、送受信システム１Ｃの構成を示す図である。
【図５】図５は、送受信システム１Ｄの構成を示す図である。
【図６】図６は、送受信システム１Ｅの構成を示す図である。
【発明を実施するための形態】
【００１９】
以下、添付図面を参照して、本発明を実施するための形態を詳細に説明する。なお、図面の説明において同一の要素には同一の符号を付し、重複する説明を省略する。本発明は、これらの例示に限定されるものではなく、特許請求の範囲によって示され、特許請求の範囲と均等の意味および範囲内でのすべての変更が含まれることが意図される。
【００２０】
初めに比較例の送受信システム１Ａの構成について説明し、その後に、この比較例と対比しつつ実施形態の送受信システム１Ｂ〜１Ｅの構成について説明する。
【００２１】
図１は、送受信システム１Ａの構成を示す図である。比較例の送受信システム１Ａは、送信装置１０Ａおよび受信装置２０Ａを備える。
【００２２】
送信装置１０Ａは、シリアライザ１１、トレーニング信号生成部１２、選択部１３、出力バッファ１４、入力バッファ１５およびクロック源１６を含む。シリアライザ１１は、パラレルデータを入力して、これをシリアルデータに変換する。シリアライザ１１は、受信装置２０Ａへ送出すべき送信信号（クロックが埋め込まれたシリアルデータ）を生成して出力する送信信号生成部である。トレーニング信号生成部１２は、受信装置２０Ａの復元部２２の復元動作を周波数同期させるためのトレーニング信号（例えばデューティ比が０.５で一定周期の信号）を生成して出力する。
【００２３】
選択部１３は、シリアライザ１１から出力される送信信号を入力するとともに、トレーニング信号生成部１２から出力されるトレーニング信号を入力する。選択部１３は、入力バッファ１５から与えられるロック信号を入力し、このロック信号のレベルに応じて送信信号およびトレーニング信号のうちの何れか一方を選択して出力する。出力バッファ１４は、選択部１３から出力された信号を通信リンクへ送出する。入力バッファ１５は、受信装置２０Ａから送られてきたロック信号を入力して、そのロック信号を選択部１３へ与える。クロック源１６は、送信装置１０Ａの全体の動作のタイミングを規定する基準クロックを出力する。特に、シリアライザ１１から出力される送信信号、および、トレーニング信号生成部１２から出力されるトレーニング信号は、クロック源１６から出力される基準クロックに基づいて生成されるクロックに同期して生成される。
【００２４】
受信装置２０Ａは、入力バッファ２１、復元部２２、デシリアライザ２３および出力バッファ２４を含む。入力バッファ２１は、送信装置１０Ａの出力バッファ１４から通信リンクを経て到達した信号を受信し、その受信信号を復元部２２へ入力させる。復元部２２は、入力された信号に基づいてデータおよびクロックを復元して出力するとともに、その復元動作が周波数同期しているか否かを示すロック信号を出力する。デシリアライザ２３は、復元部２２から出力された復元データ（シリアルデータ）を入力して、これをパラレルデータに変換する。出力バッファ２４は、復元部２２から出力されたロック信号を送信装置１０Ａへ送出する。
【００２５】
このように構成される送受信システム１Ａにおいて、受信装置２０Ａの復元部２２の復元動作が周波数同期していないとき、その旨を示すロック信号が、復元部２２から出力バッファ２４および入力バッファ１５を経て選択部１３に与えられる。そして、送信装置１０Ａの選択部１３においてトレーニング信号が選択されて出力され、そのトレーニング信号は出力バッファ１４および入力バッファ２１を経て復元部２２に与えられる。復元部２２は、このトレーニング信号を用いて復元動作を周波数同期させる。
【００２６】
復元部２２の復元動作が周波数同期すると、その旨を示すロック信号が、復元部２２から出力バッファ２４および入力バッファ１５を経て選択部１３に与えられる。そして、送信装置１０Ａの選択部１３において送信信号（クロックが埋め込まれたデータ）が選択されて出力され、その送信信号は出力バッファ１４および入力バッファ２１を経て復元部２２に与えられる。この信号を入力した復元部２２は、復元動作を位相同期させて、受信信号からクロックおよびデータを復元する。
【００２７】
この比較例の送受信システム１Ａでは、送信信号（クロックが埋め込まれたデータ）およびトレーニング信号を送信装置１０Ａから受信装置２０Ａへ送るための通信リンクに加えて、復元部２２の復元動作が周波数同期しているか否かを示すロック信号を受信装置２０Ａから送信装置１０Ａへ送るためのロック信号用通信リンクも必要である。
【００２８】
図２は、復元部２２の構成を示す図である。復元部２２は、第１位相比較器４１、第２位相比較器４２、ロック検出器４３、チャージポンプ４４、ループフィルタ４５、電圧制御発振器４６、分周器４７、分周器４８、スイッチ５１、スイッチ５２およびインバータ回路５３を含む。
【００２９】
第１位相比較器４１は、入力バッファ２１から出力された信号を入力するとともに、電圧制御発振器４６から出力された発振信号を入力して、これら入力した２つの信号の間の位相差を表す第１位相差信号を出力する。第１位相比較器４１は、Bang-Bang型の位相比較器（ＢＢＰＤ:  Bang-Bang  Phase  Detector）である。
【００３０】
第２位相比較器４２は、入力バッファ２１から出力された信号を入力するとともに、電圧制御発振器４６から出力された発振信号が分周器４８により分周された信号を入力して、これら入力した２つの信号の間の位相差を表す第２位相差信号を出力する。第２位相比較器４２は、位相周波数比較器（ＰＦＤ:  Phase  Frequency  Detector）である。
【００３１】
ロック検出器４３は、第２位相比較器４２に入力される２つの信号の間で周波数同期しているか否かを示すロック信号を出力する。スイッチ５１およびスイッチ５２は、ロック検出器４３の出力信号に応じてオン／オフの状態が設定される。ロック検出器４３の出力端とスイッチ５２との間にインバータ回路５３が設けられており、このインバータ回路５３によりスイッチ５１およびスイッチ５２のうち一方がオン状態であるとき他方はオフ状態となる。
【００３２】
周波数同期していないとロック検出器４３が判断している期間、スイッチ５１はオフ状態であり、スイッチ５２はオン状態である。逆に、周波数同期しているとロック検出器４３が判断している期間、スイッチ５１はオン状態であり、スイッチ５２はオフ状態である。すなわち、ロック検出器４３から出力されるロック信号のレベルに応じて、第２位相比較器４２を含むループおよび第１位相比較器４１を含むループのうちの何れか一方のループが動作する。
【００３３】
チャージポンプ４４は、ロック検出器４３により周波数同期していないことが検出されている期間に、第２位相比較器４２から出力される第２位相差信号を入力する。チャージポンプ４４は、ロック検出器４３により周波数同期していることが検出されている期間に、第１位相比較器４１から出力される第１位相差信号を入力する。チャージポンプ４４は、入力した第１位相差信号または第２位相差信号が表す位相差に応じた量の充放電電流をループフィルタ４５へ出力する。
【００３４】
ループフィルタ４５は、チャージポンプ４４から出力された充放電電流を容量部に入力して、その容量部の蓄積電荷量に応じた電圧値を電圧制御発振器４６へ出力する。電圧制御発振器４６は、ループフィルタ４５から出力された電圧値を入力して、その電圧値に応じた周波数を有する発振信号を第１位相比較器４１および分周器４８へ出力する。
【００３５】
復元部２２は、ロック検出器４３により周波数同期していないことが検出されている期間に、第２位相比較器４２を含むループにより、トレーニング信号に基づいて周波数同期を行う。復元部２２は、ロック検出器４３により周波数同期していることが検出されている期間に、第１位相比較器４１を含むループにより、クロックが埋め込まれたデータの信号に基づいて位相同期を行って、第１位相比較器４１から復元データを出力し、電圧制御発振器４６から出力される発振信号を復元クロックとして出力する。
【００３６】
復元部２２のロック検出器４３から出力されるロック信号は、出力バッファ２４および入力バッファ１５を経て送信装置１０Ａの選択部１３に与えられる。この比較例の送受信システム１Ａでは、送信信号（クロックが埋め込まれたデータ）およびトレーニング信号を送信装置１０Ａから受信装置２０Ａへ送るための通信リンクに加えて、復元部２２の復元動作が周波数同期しているか否かを示すロック信号を受信装置２０Ａから送信装置１０Ａへ送るためのロック信号用通信リンクも必要である。これに対して、以下に説明する実施形態の送受信システム１Ｂ〜１Ｅでは、ロック信号用通信リンクは不要である。
【００３７】
図３は、送受信システム１Ｂの構成を示す図である。本実施形態の送受信システム１Ｂは、送信装置１０Ｂおよび受信装置２０Ｂを備える。
【００３８】
送信装置１０Ｂは、シリアライザ（送信信号生成部）１１、出力バッファ１４およびクロック源１６を含む。これらの要素は、図１中の送信装置１０Ａに含まれていた同名の要素と同様の構成を有する。送信装置１０Ｂは、図１中の送信装置１０Ａに含まれていたトレーニング信号生成部１２、選択部１３および入力バッファ１５を含んでいなくてもよい。送信装置１０Ｂは、シリアライザ１１により生成された信号（クロックが埋め込まれたデータ）を常に通信リンクへ送出することができる。
【００３９】
受信装置２０Ｂは、図１中の受信装置２０Ａの入力バッファ２１、復元部２２、デシリアライザ２３および出力バッファ２４を含む回路ブロック２００に加えて、選択部２５、トレーニング信号生成部３２およびクロック源３６をも含む。
【００４０】
トレーニング信号生成部３２は、復元部２２の復元動作を周波数同期させるためのトレーニング信号（例えばデューティ比が０.５で一定周期の信号）を生成して出力する。このトレーニング信号生成部３２は、トレーニング信号生成部１２と同様の構成とすることができる。クロック源３６は、トレーニング信号生成部３２がトレーニング信号を生成する際の基準クロックを出力する。
【００４１】
選択部２５は、送信装置１０Ｂの出力バッファ１４から通信リンクを経て到達した信号を受信するとともに、トレーニング信号生成部３２から出力されるトレーニング信号を入力する。選択部２５は、復元部２２から出力され出力バッファ２４を経て入力されたロック信号を入力し、このロック信号のレベルに応じて受信信号およびトレーニング信号のうちの何れか一方を選択して入力バッファ２１へ出力する。入力バッファ２１は、選択部２５から出力された信号を復元部２２へ入力させる。
【００４２】
このように構成される送受信システム１Ｂにおいて、シリアライザ１１により生成された信号（クロックが埋め込まれたデータ）は、常に出力バッファ１４を経て受信装置２０Ｂの選択部２５により受信され得る。
【００４３】
受信装置２０Ｂの復元部２２の復元動作が周波数同期していないとき、その旨を示すロック信号が、復元部２２から出力バッファ２４を経て選択部２５に与えられる。そして、選択部２５においてトレーニング信号が選択されて出力され、そのトレーニング信号は入力バッファ２１を経て復元部２２に与えられる。復元部２２は、このトレーニング信号を用いて復元動作を周波数同期させる。
【００４４】
復元部２２の復元動作が周波数同期すると、その旨を示すロック信号が、復元部２２から出力バッファ２４を経て選択部２５に与えられる。そして、選択部２５において受信信号（クロックが埋め込まれたデータ）が選択されて出力され、その受信信号は入力バッファ２１を経て復元部２２に与えられる。この信号を入力した復元部２２は、復元動作を位相同期させて、受信信号からクロックおよびデータを復元する。
【００４５】
この送受信システム１Ｂでは、復元部２２の復元動作が周波数同期しているか否かを示すロック信号を受信装置２０Ｂから送信装置１０Ｂへ送るためのロック信号用通信リンクが不要である。このように、ＣＤＲ技術を用いた信号の送受信の際の通信リンクの本数を削減することができる。さらに、省スペース化および低価格化が可能となる。
【００４６】
また、受信装置２０Ｂにおいてクロック源３６から出力される基準クロックは、トレーニング信号生成部３２がトレーニング信号を生成する際に用いられ、周波数同期した後に復元部２２が受信信号からクロックおよびデータを復元する際には用いられない。したがって、送信装置および受信装置の双方がクロック源を備えていても、両クロック源の発振周波数の相違に起因するサンプリングのタイミングずれの問題は生じない。
【００４７】
図４は、送受信システム１Ｃの構成を示す図である。本実施形態の送受信システム１Ｃは、送信装置１０Ｃおよび受信装置２０Ｃを備える。送信装置１０Ｃは、図３中の送信装置１０Ｂと同様の構成を有する。
【００４８】
受信装置２０Ｃは、図３中の受信装置２０Ｂに含まれていた回路ブロック２００、選択部２５、トレーニング信号生成部３２およびクロック源３６に加えて、第１ダミー信号生成部３１、第１ダミー選択部３３、出力バッファ３４および入力バッファ３５をも含む。
【００４９】
第１ダミー信号生成部３１は、任意の第１ダミー信号を生成し出力する。第１ダミー選択部３３は、第１ダミー信号生成部３１から出力される第１ダミー信号を入力するとともに、トレーニング信号生成部３２から出力されるトレーニング信号を入力して、そのうちのトレーニング信号を常に選択して出力バッファ３４へ出力する。出力バッファ３４は、第１ダミー選択部３３から出力されたトレーニング信号を選択部２５へ出力する。入力バッファ３５は、復元部２２が周波数同期していないときのロック信号のレベルと同じレベルを常に入力して、そのレベルを第１ダミー選択部３３に与える。
【００５０】
第１ダミー信号生成部３１、トレーニング信号生成部３２、第１ダミー選択部３３、出力バッファ３４および入力バッファ３５を含む回路ブロック２１０は、図１中の送信装置１０Ａのシリアライザ１１、トレーニング信号生成部１２、選択部１３、出力バッファ１４および入力バッファ１５を含む回路ブロック１００と同様の構成とすることができる。第１ダミー選択部３３は、復元部２２が周波数同期していないときのロック信号のレベルと同じレベルが常に入力されることで、トレーニング信号を常に選択して出力バッファ３４へ出力することができる。
【００５１】
このように構成される送受信システム１Ｃは、前述の送受信システム１Ｂと同様に動作し同様の効果を奏する。なお、第１ダミー信号生成部３１は、送受信システム１Ｃの動作に対し実質的には寄与しない。また、第１ダミー選択部３３は、常にトレーニング信号を選択して出力するので、実質的には選択動作をしない。
【００５２】
送受信システム１Ｃでは、受信装置２０Ｃの回路ブロック２００は、図１中の受信装置２０Ａの回路ブロック２００と同じ回路構成を有することができる。また、受信装置２０Ｃの回路ブロック２１０は、図１中の送信装置１０Ａの回路ブロック１００と同じ回路構成を有することができる。したがって、回路ブロック１００を搭載する半導体製品および回路ブロック２００を搭載する半導体製品が既にあれば、これら二つの半導体製品を用いることで容易に受信装置２０Ｃを構成することができる。
【００５３】
図５は、送受信システム１Ｄの構成を示す図である。本実施形態の送受信システム１Ｄは、送信装置１０Ｄおよび受信装置２０Ｄを備える。受信装置２０Ｄは、図３中の受信装置２０Ｂと同様の構成を有する。
【００５４】
送信装置１０Ｄは、図１中の送信装置１０Ａの構成と比較すると、トレーニング信号生成部１２に替えて第２ダミー信号生成部１７を含む点で相違し、選択部１３に替えて第２ダミー選択部１８を含む点で相違し、また、復元部２２が周波数同期しているときのロック信号のレベルと同じレベルを入力バッファが常に入力する点で相違する。
【００５５】
第２ダミー信号生成部１７は、任意の第２ダミー信号を生成し出力する。第２ダミー選択部１８は、シリアライザ１１から出力される送信信号（クロックが埋め込まれたシリアルデータ）を入力するとともに、第２ダミー信号生成部１７から出力される第２ダミー信号を入力し、そのうちの送信信号を常に選択して出力バッファ１４へ出力する。出力バッファ１４は、第２ダミー選択部１８から出力された送信信号を通信リンクへ送出する。入力バッファ１５は、復元部２２が周波数同期しているときのロック信号のレベルと同じレベルを常に入力して、そのレベルを第２ダミー選択部１８に与える。
【００５６】
シリアライザ１１、第２ダミー信号生成部１７、第２ダミー選択部１８、出力バッファ１４および入力バッファ１５を含む回路ブロック１１０は、図１中の送信装置１０Ａの回路ブロック１００と同様の構成とすることができる。第２ダミー選択部１８は、復元部２２が周波数同期しているときのロック信号のレベルと同じレベルが常に入力されることで、シリアライザ１１から出力される送信信号（クロックが埋め込まれたシリアルデータ）を常に選択して出力バッファ１４へ出力することができる。
【００５７】
このように構成される送受信システム１Ｄは、前述の送受信システム１Ｂ，１Ｃと同様に動作し同様の効果を奏する。なお、第２ダミー信号生成部１７は、送受信システム１Ｄの動作に対し実質的には寄与しない。また、第２ダミー選択部１８は、常に送信信号を選択して出力するので、実質的には選択動作をしない。
【００５８】
送受信システム１Ｄでは、送信装置１０Ｄの回路ブロック１１０は、図１中の送信装置１０Ａの回路ブロック１００と同じ回路構成を有することができる。したがって、回路ブロック１００を搭載する半導体製品が既にあれば、この半導体製品を用いることで容易に送信装置１０Ｄを構成することができる。
【００５９】
図６は、送受信システム１Ｅの構成を示す図である。本実施形態の送受信システム１Ｅは、送信装置１０Ｅおよび受信装置２０Ｅを備える。送信装置１０Ｅは、図５中の送信装置１０Ｄと同様の構成を有する。受信装置２０Ｅは、図４中の受信装置２０Ｃと同様の構成を有する。
【００６０】
このように構成される送受信システム１Ｅは、前述の送受信システム１Ｂ〜１Ｄと同様に動作し同様の効果を奏する。なお、第１ダミー信号生成部３１は、送受信システム１Ｅの動作に対し実質的には寄与しない。第１ダミー選択部３３は、常にトレーニング信号を選択して出力するので、実質的には選択動作をしない。第２ダミー信号生成部１７は、送受信システム１Ｅの動作に対し実質的には寄与しない。第２ダミー選択部１８は、常に送信信号を選択して出力するので、実質的には選択動作をしない。
【００６１】
送受信システム１Ｅでは、受信装置２０Ｅの回路ブロック２００は、図１中の受信装置２０Ａの回路ブロック２００と同じ回路構成を有することができる。受信装置２０Ｅの回路ブロック２１０は、図１中の送信装置１０Ａの回路ブロック１００と同じ回路構成を有することができる。送信装置１０Ｅの回路ブロック１１０は、図１中の送信装置１０Ａの回路ブロック１００と同じ回路構成を有することができる。したがって、回路ブロック１００を搭載する半導体製品および回路ブロック２００を搭載する半導体製品が既にあれば、これら二つの半導体製品を用いることで容易に送信装置１０Ｅおよび受信装置２０Ｅを構成することができる。
【００６２】
送受信システム１Ｂ〜１Ｅの何れにおいても、復元部２２の復元動作が周波数同期していない旨をロック信号が示しているときと比べて、復元動作が周波数同期している旨をロック信号が示しているときに、トレーニング信号生成部３２における消費電力を低減させるのが好適である。復元動作が周波数同期している旨をロック信号が示しているときに、トレーニング信号生成部３２を停止させるのも好適である。クロック源３６についても同様である。このようにすることで、復元部２２が受信信号からクロックおよびデータを復元している通常動作の際の受信装置の消費電力を低減させることができる。
【符号の説明】
【００６３】
１Ａ〜１Ｅ…送受信システム、１０Ａ〜１０Ｅ…送信装置、１１…シリアライザ、１２…トレーニング信号生成部、１３…選択部、１４…出力バッファ、１５…入力バッファ、１６…クロック源、１７…第２ダミー信号生成部、１８…第２ダミー選択部、２０Ａ〜２０Ｅ…受信装置、２１…入力バッファ、２２…復元部、２３…デシリアライザ、２４…出力バッファ、２５…選択部、３１…第１ダミー信号生成部、３２…トレーニング信号生成部、３３…第１ダミー選択部、３４…出力バッファ、３５…入力バッファ、３６…クロック源、４１…第１位相比較器、４２…第２位相比較器、４３…ロック検出器、４４…チャージポンプ、４５…ループフィルタ、４６…電圧制御発振器、４７…分周器、４８…分周器、５１…スイッチ、５２…スイッチ、５３…インバータ回路。
【図１】
2020068458.tif 000003
【図２】
2020068458.tif 000004
【図３】
2020068458.tif 000005
【図４】
2020068458.tif 000006
【図５】
2020068458.tif 000007
【図６】
2020068458.tif 000008